(57)【要約】【課題】  遠隔操作による締め付け動作を容易にするドラム缶天蓋締め輪、及びドラム缶を提供する。【解決手段】  バンド部材１１０及び係合部材１２０を備え、該係合部材は、上記バンド部材に備わる第２保持用部材１１６に対して緩やかに嵌合していることから、上記係合部材のナット１２４の中心軸の向きを、締結用ボルト１３０の中心軸の向きに一致させることができる。したがって、上記ナットと上記締結用ボルトとの締め付け動作において不具合が生じることを防止でき、上記締め付け動作を機械にて遠隔操作で自動的に行うことが可能となる。【選択図】図１
2005162216.tif 000002
【特許請求の範囲】
【請求項１】
缶胴体（１８１）に対して天蓋（１８２）が着脱可能なオープンドラム缶（１８０）の上記天蓋と上記缶胴体とを遠隔操作にて緊締するためのドラム缶天蓋締め輪であって、
上記天蓋の周縁部及び上記缶胴体の周縁部を締結するため周囲の一箇所を切り欠いた不連続な円形状にてなるバンド部材であり、該バンド部材の一端部（１１３）には締結用ボルト（１３０）が挿通可能であり当該締結用ボルトの頭部（１３１）を保持する第１保持用部材（１１４）を有し、上記バンド部材の他端部（１１５）には上記締結用ボルトの先端部（１３２）が挿通可能な第２保持用部材（１１６）を有するバンド部材（１１０）と、
上記第２保持用部材に対して緩やかに嵌合可能な係合部材であり、上記締結用ボルトの軸周り方向への当該係合部材の回転を防止する装着用部材（１２３）、及び該装着用部材に固定され上記第２保持用部材を通過した上記先端部と係合するナット（１２４）を有する係合部材（１２０）と、
を備えたことを特徴とするドラム缶天蓋締め輪。
【請求項２】
上記装着用部材は、コ字状に成形してなり、互いに対向して設けられる２つの部材であり上記締結用ボルトと上記ナットとが螺合する際における上記締結用ボルトの軸周り方向への当該係合部材の回転を防止する第１部材（１２３１）と、該２つの第１部材を連結し上記締結用ボルトの上記先端部が貫通する貫通穴(１２２)を形成した第２部材（１２３２）とを有し、上記ナットは、上記第２部材に対向しかつ２つの上記第１部材を連結して固定され、上記係合部材は、上記第１部材、上記第２部材、及び上記ナットにて囲まれて形成され上記第２保持用部材を緩やかに嵌合する嵌合用空間（１２１）を有する、請求項１記載のドラム缶天蓋締め輪。
【請求項３】
上記第２保持用部材に嵌合した上記係合部材における上記ナットに上記第１保持用部材及び上記第２保持用部材を通過した上記締結用ボルトが螺合するとき、上記締結用ボルトに螺合し上記第１保持用部材と上記係合部材との間に位置する装着状態設定用部材であって、当該ドラム缶天蓋締め輪が上記天蓋の周縁部に設けられた状態において当該天蓋が上記オープンドラム缶の上記缶胴体に装着されるとき、上記第１保持用部材に当接して上記バンド部材を広げて締め付け状態よりも緩やかな装着用間隔（１４５）に上記第１保持用部材と上記第２保持用部材とを配置する装着状態設定用部材（１４０）をさらに備えた、請求項１又は２記載のドラム缶天蓋締め輪。
【請求項４】
上記装着状態設定用部材は、さらに、上記缶胴体に上記天蓋を取り付け上記締結用ボルトと上記ナットとの締結動作により当該ドラム缶天蓋締め輪を締め付け上記第１保持用部材と上記第２保持用部材とを締付間隔（１４６）にて配置したとき上記第１保持用部材に当接し上記締付間隔を維持しかつ上記ナットとの係合作用により当該ドラム缶天蓋締め輪の緩みを防止する、請求項３記載のドラム缶天蓋締め輪。
【請求項５】
当該ドラム缶天蓋締め輪が上記天蓋の周縁部に設けられた状態において上記天蓋から当該ドラム缶天蓋締め輪の脱離を防止する部材であり、上記天蓋の外面（１８２１）に対向して上記バンド部材から突設される脱離防止用部材（１１１）をさらに備えた、請求項１から４のいずれかに記載のドラム缶天蓋締め輪。
【請求項６】
請求項１から５のいずれかに記載のドラム缶天蓋締め輪を備えたことを特徴とするドラム缶。
【発明の詳細な説明】
【技術分野】
【０００１】
本発明は、オープンドラム缶の胴体に天蓋を固定するドラム缶天蓋締め輪、及び該ドラム缶天蓋締め輪を取り付けたドラム缶に関する。
【背景技術】
【０００２】
胴体に対して天蓋が着脱可能なオープンドラム缶の胴体に天蓋にて蓋をした後、上記天蓋と上記胴体とを固定する手段としては、上記天蓋と上記胴体との接合部分のほぼ全周にわたりＵ又はＶ字形にてなる締め輪を取り付け、該締め輪をレバーにて締め付けるタイプと、ボルトにて締め付けるタイプとの２種類がある（例えば特許文献１参照。）。
【特許文献１】特開平１１−２５５２５６号公報
【発明の開示】
【発明が解決しようとする課題】
【０００３】
上記レバー式締め輪は、締め輪の両端部を連結するレバー機構を有し、該レバー機構により締め輪を一定寸法分締め付け固定するもので、別途治具を用いる必要がなく、簡易に締め付けを行うことができる。しかしながら、レバー式締め輪の場合、上述のように一定寸法分しか締め輪を締め付けることができず、又、上記寸法を大きくし締め量を増やすと、締め付けに要する力が大きくなり、人手では締め付けが不可能となるという欠点がある。よって、大きな締め付け量が得られず、ドラム缶の密閉性が不十分になり安定した気密性を得るには適切な構造とは言えない。又、例えば、原子力施設における放射線管理区域のように作業者が直接に締め付け作業をできない場所において、機械による遠隔操作にて締め輪を自動的に締め付けるような状況に対応するのが難しいという問題もある。
【０００４】
又、上記ボルト式締め輪は、図１５に示すように、締め輪１の両端部２，３を締結するボルト４及びナット５を有し締め付けを行うものであり、作業性を考慮してナット５は予め締め輪１の一端部２に溶接にて固定されたり、又はねじ加工されている。このようなボルト式締め輪では、図１６に示すように、天蓋を設けたドラム缶に締め輪１を取り付けたとき、締め輪１は、仮想線にて図示した締め付け時に比べて実線で図示するように広がっている。よって、一端部２に固定されているナット５の中心軸５ａと、締め輪１の他端部３に設けたボルト４の中心軸４ａとは平行ではなくなり、ボルト４がナット５に螺合し難く、締め輪１の締め付け動作が困難となる。又、ナット５を上記一端部２に固定する際、ボルト４との締結状態を考慮してボルト４の中心軸４ａに一致するように注意を払いながら固定作業を行う必要があり、作業性も悪くなる。一方、ナット５を一端部２に固定しない場合には、上記螺合動作は比較的容易になるが、作業者はボルト４及びナット５を持たねばならず、作業性が悪くなる。
【０００５】
上述のように締め輪１の締め付け動作が困難な場合であっても、作業者による締め輪１の締め付け動作が可能な場合には、作業者が締め輪１及びボルト４を適宜動かしてボルト４とナット５との螺合が容易になるようにすることが可能である。しかしながら、上述の放射線管理区域のように、作業者による締め付け動作が行えない場合には、機械による自動的な締め輪１の締め付けが行われることから、上記螺合を行うことは非常に困難となる。まして、上記一端部２にナット５を取り付けていないときには、機械によるナット５の取り扱いを要することから、機械の作業工程が増え、螺合動作はさらに困難となる。
本発明は、このような問題点を解決するためになされたもので、遠隔操作による締め付け動作を容易にするドラム缶天蓋締め輪、及び該ドラム缶天蓋締め輪を取り付けたドラム缶を提供することを目的とする。
【課題を解決するための手段】
【０００６】
上記目的を達成するため本発明は以下のように構成する。
即ち、本発明の第１態様のドラム缶天蓋締め輪は、缶胴体に対して天蓋が着脱可能なオープンドラム缶の上記天蓋と上記缶胴体とを遠隔操作にて緊締するためのドラム缶天蓋締め輪であって、
上記天蓋の周縁部及び上記缶胴体の周縁部を締結するため周囲の一箇所を切り欠いた不連続な円形状にてなるバンド部材であり、該バンド部材の一端部には締結用ボルトが挿通可能であり当該締結用ボルトの頭部を保持する第１保持用部材を有し、上記バンド部材の他端部には上記締結用ボルトの先端部が挿通可能な第２保持用部材を有するバンド部材と、
上記第２保持用部材に対して緩やかに嵌合可能な係合部材であり、上記締結用ボルトの軸周り方向への当該係合部材の回転を防止する装着用部材、及び該装着用部材に固定され上記第２保持用部材を通過した上記先端部と係合するナットを有する係合部材と、
を備えたことを特徴とする。
【０００７】
又、上記装着用部材は、コ字状に成形してなり、互いに対向して設けられる２つの部材であり上記締結用ボルトと上記ナットとが螺合する際における上記締結用ボルトの軸周り方向への当該係合部材の回転を防止する第１部材と、該２つの第１部材を連結し上記締結用ボルトの上記先端部が貫通する貫通穴を形成した第２部材とを有し、上記ナットは、上記第２部材に対向しかつ２つの上記第１部材を連結して固定され、上記係合部材は、上記第１部材、上記第２部材、及び上記ナットにて囲まれて形成され上記第２保持用部材を緩やかに嵌合する嵌合用空間を有するように構成することもできる。
【０００８】
又、上記第２保持用部材に嵌合した上記係合部材における上記ナットに上記第１保持用部材及び上記第２保持用部材を通過した上記締結用ボルトが螺合するとき、上記締結用ボルトに螺合し上記第１保持用部材と上記係合部材との間に位置する装着状態設定用部材であって、当該ドラム缶天蓋締め輪が上記天蓋の周縁部に設けられた状態において当該天蓋が上記オープンドラム缶の上記缶胴体に装着されるとき、上記第１保持用部材に当接して上記バンド部材を広げて締め付け状態よりも緩やかな装着用間隔に上記第１保持用部材と上記第２保持用部材とを配置する装着状態設定用部材をさらに備えるように構成することもできる。
【０００９】
又、上記装着状態設定用部材は、さらに、上記缶胴体に上記天蓋を取り付け上記締結用ボルトと上記ナットとの締結動作により当該ドラム缶天蓋締め輪を締め付け上記第１保持用部材と上記第２保持用部材とを締付間隔にて配置したとき上記第１保持用部材に当接し上記締付間隔を維持しかつ上記ナットとの係合作用により当該ドラム缶天蓋締め輪の緩みを防止するように構成することもできる。
【００１０】
又、当該ドラム缶天蓋締め輪が上記天蓋の周縁部に設けられた状態において上記天蓋から当該ドラム缶天蓋締め輪の脱離を防止する部材であり、上記天蓋の外面に対向して上記バンド部材から突設される脱離防止用部材をさらに備え防止するように構成することもできる。
【００１１】
さらに本発明の第２態様のドラム缶は、上記第１態様のドラム缶天蓋締め輪を備えたことを特徴とする。
【発明の効果】
【００１２】
本発明の第１態様におけるドラム缶天蓋締め輪、及び第２態様のドラム缶によれば、バンド部材及び係合部材を備え、該係合部材は、上記バンド部材に備わる第２保持用部材に対して緩やかに嵌合していることから、上記係合部材のナットの中心軸の向きを、締結用ボルトの中心軸の向きに一致させることができる。又、上記ナットの中心軸の向きと、締結用ボルトの中心軸の向きとは、ドラム缶天蓋締め輪の締め付け状態に応じて変化するが、該変化に対しても対応可能である。したがって、上記ナットと上記締結用ボルトとの締め付け動作において、例えば締付け動作が困難になるという不具合が生じることを防止でき、上記締め付け動作を機械にて遠隔操作で自動的に行うことが可能となる。又、上述のように、係合部材は、上記第２保持用部材に対して緩やかに嵌合して取り付け可能であることから、上記バンド部材への係合部材の取り付け動作を容易に行うことができる。
【００１３】
又、上記係合部材にて形成される嵌合用空間に上記第２保持用部材が嵌合することから、上記締結用ボルトと上記ナットとを螺合させ上記締結用ボルトを回転させることで締結動作を行うとき、上記締結用ボルトの回転とともに上記締結用ボルトの軸周り方向へ上記係合部材が回転することを防止することができる。よって、上記係合部材にて形成される嵌合用空間に上記第２保持用部材を嵌合させる構成は、上記締め付け動作を機械にて遠隔操作で自動的に行うのに有効な構造と言える。
【００１４】
又、装着状態設定用部材を備えることで、バンド部材を装着用間隔に保持することができる。よって、当該ドラム缶天蓋締め輪を取り付けた天蓋をオープンドラム缶に遠隔操作にて装着するとき、ドラム缶天蓋締め輪がほぼ天蓋の直径と同程度まで狭まり上記ドラム缶の缶胴体の周縁部に干渉し天蓋の装着が困難になることを防止することができる。
【００１５】
又、脱離防止用部材を設けることで、ドラム缶天蓋締め輪を取り付けた天蓋を持ち上げるとき、ドラム缶天蓋締め輪が天蓋から脱落するのを防止することができる。特に、上述のようにバンド部材が装着用間隔に保持されている状態であっても、ドラム缶天蓋締め輪が天蓋から脱落するのを防止することができ、ドラム缶天蓋締め輪を取り付けた天蓋を遠隔操作にてオープンドラム缶の缶胴体へ装着することができる。
【発明を実施するための最良の形態】
【００１６】
本発明の実施形態であるドラム缶天蓋締め輪、及び該ドラム缶天蓋締め輪を備えたドラム缶について、図を参照しながら以下に説明する。尚、各図において同じ構成部分については同じ符号を付している。
図１、図２及び図７に示すように、上記ドラム缶天蓋締め輪１００は、缶胴体１８１に対して天蓋１８２が着脱可能なオープンドラム缶１８０の天蓋１８２と缶胴体１８１とを遠隔操作にて緊締するためのドラム缶天蓋締め輪である。このようなドラム缶天蓋締め輪１００は、基本的構成として、バンド部材１１０と係合部材１２０とを備え、さらに装着状態設定用部材１４０、及びバンド部材１１０に脱離防止用部材１１１を設けることもできる。
【００１７】
バンド部材１１０は、図７に示すように、天蓋１８２の周縁部１８２２と缶胴体１８１の周縁部１８１１とを締結するため、ほぼＶ字形の断面を有し、バンド部材１１０の周囲の一箇所に切欠部１１２を設けた不連続な円形状にてなる。又、バンド部材１１０の一端部１１３には第１保持用部材１１４が、他端部１１５には第２保持用部材１１６が、互いに対向するようにしてそれぞれ取り付けられ固定されている。第１保持用部材１１４及び第２保持用部材１１６は、図６に示すように、帯材にて形成され、該帯材の一端部をバンド部材１１０の外周１１０ａに取り付け、他端部には、それぞれ、同一の締結用ボルト１３０が連通して挿通可能な円筒形状にてなるボルト保持部１１７を形成している。第１保持用部材１１４は、締結用ボルト１３０がボルト保持部１１７に挿通され、締結用ボルト１３０の頭部１３１を保持する。第２保持用部材１１６は、締結用ボルト１３０の先端部１３２がボルト保持部１１７に挿通され、先端部１３２を保持する。尚、締結用ボルト１３０には、図３に示すように、装着状態設定用部材１４０であるワッシャ１４１と開用ナット１４２を設けた後、下記の係合部材１２０が取り付けられる。尚、第１保持用部材１１４及び第２保持用部材１１６のボルト保持部１１７におけるボルト挿通穴１１７ａの内径は、締結用ボルト１３０の外径に対して、一例として約３ｍｍ大きい。
又、締結用ボルト１３０を回転させるため、後述する天蓋装着装置２２０に備わるボルト回転装置２２２が上記頭部１３１に着脱可能であるが、頭部１３１へのボルト回転装置２２２の着脱、特に取り付けを容易にするため、締結用ボルト１３０の頭部１３１には、円錐形にてなる取付導入部１３１ａを形成している。
【００１８】
又、詳細後述するように、天蓋１８２は、当該ドラム缶天蓋締め輪１００を取り付けた状態で、天蓋１８２が吸引されて搬送されるが、該搬送時に、天蓋１８２からドラム缶天蓋締め輪１００が脱離するのを防止する必要がある。そこで、バンド部材１１０には、図１等に示すように、複数の脱離防止用部材１１１が設けられる。該脱離防止用部材１１１は、図７に示すように、天蓋１８２の外面１８２１に対向しバンド部材１１０の中心側に向かってバンド部材１１０に突設される。尚、第１保持用部材１１４及び第２保持用部材１１６に形成された上記ボルト保持部１１７は、脱離防止用部材１１１とは反対側で、缶胴体１８１側に配置される。
【００１９】
係合部材１２０は、図４に示すように嵌合用空間１２１を形成し、図５及び図８に示すように、第２保持用部材１１６が上記嵌合用空間１２１に緩やかに嵌合可能な部材であり、締結用ボルト１３０の先端部１３２が貫通する貫通穴１２２を有する装着用部材１２３と、装着用部材１２３に固定され貫通穴１２２及び第２保持用部材１１６を通過した上記先端部１３２と係合する締付用ナット１２４とを有する。尚、上記貫通穴１２２は、締結用ボルト１３０の外径に対して十分に大きい内径を有する穴である。
装着用部材１２３は、帯材をコ字状に成形してなる。即ち、互いに対向して配置される２つの第１部材１２３１と、該２つの第１部材１２３１を連結し上記貫通穴１２２を形成した第２部材１２３２とを有する。尚、実施形態では、第１部材１２３１及び第２部材１２３２は、上述のように帯材にて一体的に形成される。上記締付用ナット１２４は、上記第２部材１２３２に対向しかつ２つの上記第１部材１２３１を連結して固定される。
このような構成により、上記係合部材は、第１部材１２３１、第２部材１２３２、及び締付用ナット１２４に囲まれた上記嵌合用空間１２１を有する。そして上述のように、該嵌合用空間１２１には、上記第２保持用部材１１６が緩やかに嵌合可能であり、第２保持用部材１１６は係合部材１２０に対して着脱可能である。
【００２０】
尚、貫通穴１２２及び第２保持用部材１１６に締結用ボルト１３０を挿通することで第２保持用部材１１６から係合部材１２０が脱落することは無くなることから、装着用部材１２３において、貫通穴１２２を有する第２部材１２３２は存在価値がある。しかしながら、締結用ボルト１３０が締付用ナット１２４に螺合すれば係合部材１２０の上記脱落はなくなるので、装着用部材１２３において、上記第２部材１２３２は、省略することもできる。
【００２１】
又、上述したように、締結用ボルト１３０は、締付用ナット１２４に螺合し、締結用ボルト１３０の回転により、第１保持用部材１１４と第２保持用部材１１６との締結動作が行われるが、嵌合用空間１２１に第２保持用部材１１６を嵌合させる構成を採ることで、締結用ボルト１３０の回転に伴いたとえ係合部材１２０も回転を始めたとしても、係合部材１２０の上記第１部材１２３１がバンド部材１１０に当接する。よって、上記嵌合構造は、上記締結動作時に、締結用ボルト１３０の軸周り方向への回転に伴って締付用ナット１２４も回転してしまうことを防止することができる。
尚、係合部材１２０は、図４に示す構造に限定するものではなく、装着用部材１２３及び締付用ナット１２４を有する構造であれば良い。
【００２２】
以上のように構成されたバンド部材１１０及び係合部材１２０を有するドラム缶天蓋締め輪１００の締め付け動作について、図９から図１４を参照して以下に説明する。ここで、本実施形態のドラム缶天蓋締め輪１００は、例えば原子力施設のように、上記締め付け動作を人間が行うことができない環境において、オープンドラム缶１８０の缶胴体１８１に天蓋１８２を装着し、該天蓋１８２と缶胴体１８１とを締め付けるために使用されるものである。
天蓋１８２にドラム缶天蓋締め輪１００を取り付ける。本実施形態において、該取付作業は、作業者による作業が可能な環境にて行われ、よって作業者が行う。該取付作業では、図５に示すように、係合部材１２０の上記嵌合用空間１２１に第２保持用部材１１６を嵌合させる。このとき、図５、図９及び図１０に示すように、締付用ナット１２４は、第１保持用部材１１４とは反対側に位置させる。その理由は、締付用ナット１２４を第１保持用部材１１４側に位置させた場合、締結動作により第２部材１２３２が第２保持用部材１１６を第１保持用部材１１４側へ引き寄せることになり、第２部材１２３２は締付用ナット１２４に比べて薄く強度的に弱いことから、強度的な問題が生じるからである。
【００２３】
又、嵌合用空間１２１と第２保持用部材１１６とは緩やかに嵌合する。具体的には、嵌合用空間１２１を形成する第１部材１２３１、第２部材１２３２及び締付用ナット１２４の各内面と第２保持用部材１１６とは、それぞれ約１ｍｍ程の隙間１２５をもって嵌合される。このような緩やかな嵌合により、第２保持用部材１１６に対して係合部材１２０は、比較的自由に動くことができる。
図５に示すように、第１保持用部材１１４に締結用ボルト１３０を貫通させた後、上記装着状態設定用部材１４０を係合させ、さらに締結用ボルト１３０の先端部１３２を、係合部材１２０の貫通穴１２２、第２保持用部材１１６に貫通させ、そして締付用ナット１２４に螺合させる。このように係合部材１２０の締付用ナット１２４と締結用ボルト１３０とは螺合し、さらに締結用ボルト１３０の回転による締結動作により、バンド部材１１０の直径は変化する。該直径の変化に応じて締結用ボルト１３０の中心軸の向きは変化するが、上記緩やかな嵌合により、締付用ナット１２４の中心軸の向きを、締結用ボルト１３０の中心軸の向きに一致させることができる。よって、締付用ナット１２４と締結用ボルト１３０との締め付け動作において従来のような不具合が生じることを防止でき、上記締め付け動作を機械にて遠隔操作で自動的に行うことが可能となる。
【００２４】
上述したように、第１保持用部材１１４に締結用ボルト１３０を貫通させた後、上記装着状態設定用部材１４０を係合させ、さらに締結用ボルト１３０の先端部１３２を、係合部材１２０の貫通穴１２２、第２保持用部材１１６に貫通させ、そして締付用ナット１２４に螺合させる。このようにしてバンド部材１１０に締結用ボルト１３０及び係合部材１２０を取り付けた状態のドラム缶天蓋締め輪１００について、作業者は、脱離防止用部材１１１と天蓋１８２の外面１８２１とが対向するようにして天蓋１８２に取り付ける。又、後述するように、ドラム缶天蓋締め輪１００を取り付けた天蓋１８２は、機械にて自動的に缶胴体１８１に装着される。よって、該装着時に、天蓋１８２に取り付けたドラム缶天蓋締め輪１００がバンド部材１１０の復元力により天蓋１８２のほぼ直径まで狭まった状態にあると、ドラム缶天蓋締め輪１００が缶胴体１８１の周縁部１８１１に干渉して装着動作に不具合が生じる可能性がある。よって、このような不具合を避けるため、以下の作業を行うのが好ましい。
【００２５】
即ち、締結用ボルト１３０は、係合部材１２０の締付用ナット１２４に螺合しており、又、上記装着状態設定用部材１４０を設けている。よって、図９に示すように、装着状態設定用部材１４０の開用ナット１４２を第１保持用部材１１４に接触させて、バンド部材１１０の復元力により第１保持用部材１１４が第２保持用部材１１６側に接近するのを禁止した状態において、締結用ボルト１３０を反締付方向に回転、あるいは開用ナット１４２を回転させる。これにより、第１保持用部材１１４と第２保持用部材１１６との間隔を締め付け状態よりも緩やかで広がった装着用間隔１４５に設定することができる。したがって、バンド部材１１０は、その復元力に逆らって強制的に広げられた状態、つまり上記装着用間隔１４５を維持することができることから、遠隔操作による自動装着時において、天蓋１８２に取り付けられているドラム缶天蓋締め輪１００が缶胴体１８１の周縁部に干渉して装着動作に不具合が発生することを防止できる。このように装着状態設定用部材１４０は、ドラム缶天蓋締め輪１００を取り付けた天蓋１８２を、機械にて遠隔操作で缶胴体１８１に装着するために有効な構造である。
尚、第１保持用部材１１４と第２保持用部材１１６との間隔を装着用間隔１４５に設定するとき、締結用ボルト１３０の頭部１３１と開用ナット１４２とで第１保持用部材１１４を過度に硬く挟み込んでしまうと、後述するようにドラム缶天蓋締め輪１００の締め付け時における締結用ボルト１３０の回転が困難になる可能性がある。よって、実際には、開用ナット１４２と第１保持用部材１１４とが緩やかに接触する程度に開用ナット１４２を位置させる。
【００２６】
上述のようにしてドラム缶天蓋締め輪１００が取り付けられた天蓋１８２は、図１１に示すように、自動的に天蓋１８２を缶胴体１８１に装着しさらにドラム缶天蓋締め輪１００にて両者の締め付けを行う蓋締装置に備わる天蓋スタッカー２１０に層状に収納される。
このように収納された、ドラム缶天蓋締め輪１００が取り付けられた天蓋１８２は、図１２に示すように、蓋移動装置にて、天蓋スタッカー２１０から天蓋装着装置２２０の下方まで移送される。天蓋装着装置２２０は、天蓋１８２の外面１８２１を吸着する吸着装置２２１と、締結用ボルト１３０の頭部１３１に着脱可能であり締結用ボルト１３０を回転させドラム缶天蓋締め輪１００の締め付けを行うボルト回転装置２２２とを備える。
このような天蓋装着装置２２０は、図１３に示すように、吸着装置２２１にて、ドラム缶天蓋締め輪１００付き天蓋１８２を吸着して保持し、さらに、ボルト回転装置２２２を締結用ボルト１３０の頭部１３１にセットする。
【００２７】
このような状態にて、天蓋装着装置２２０は、図１４に示すように、ドラム缶天蓋締め輪１００付き天蓋１８２を缶胴体１８１の上方まで搬送した後、下降して天蓋１８２を缶胴体１８１に当接させる。該当接後、ボルト回転装置２２２にて締結用ボルト１３０を回転させ、係合部材１２０の締付用ナット１２４との係合作用により、上記装着用間隔１４５に配置されているバンド部材１１０について、図１０に示す締付間隔１４６まで上記第１保持用部材１１４と第２保持用部材１１６との間隔を狭めることで、締め付けを行う。該締め付け動作により、天蓋１８２と缶胴体１８１とは、ドラム缶天蓋締め輪１００により、締め付けられ密閉される。
【００２８】
又、装着状態設定用部材１４０の開用ナット１４２は、ボルト回転装置２２２による締結用ボルト１３０の回転と伴に回転する。よって、開用ナット１４２の位置は、図１０に示すように、図９に示す当初の状態である第１保持用部材１１４に緩やかに接触した状態を維持している。よって、装着状態設定用部材１４０は、開用ナット１４２により上記締付間隔１４６を維持し、かつ締結用ボルト１３０の頭部１３１、第１保持用部材１１４、開用ナット１４２、及び係合部材１２０の締付用ナット１２４との係合作用により、当該ドラム缶天蓋締め輪１００の緩みを防止する。尚、上述のように開用ナット１４２が第１保持用部材１１４に緩やかに接触した状態であるので、上記緩み防止は、実際には、緩やかな緩み防止となる。上述したように、当該ドラム缶天蓋締め輪１００を取り付けたドラム缶は、原子力施設内に保管されることから、当該ドラム缶は頻繁に搬送されることはない。よって、搬送による振動等による締結用ボルト１３０が回転し当該ドラム缶天蓋締め輪１００の緩みはほとんど発生しない。したがって、上記緩やかな緩み防止で必要条件を十分に満たす。
尚、強固な緩み防止を希望するときには、ドラム缶天蓋締め輪１００による締め付け状態が若干緩んでしまうが、締結用ボルト１３０を反締付方向へ回転させて上記締付間隔１４６を若干広げることで、第１保持用部材１１４と開用ナット１４２とを強固に接触させることができ、強固な緩み防止が達成可能である。
【００２９】
上記締付動作後、ボルト回転装置２２２が締結用ボルト１３０から離れ、さらに吸着装置２２１による天蓋１８２の吸着動作を停止する。そして、天蓋装着装置２２０は、上昇し、再び元の位置へ戻り、次の装着動作に備える。
【００３０】
上述したように本実施形態のドラム缶天蓋締め輪１００によれば以下のような効果が得られる。即ち、バンド部材１１０の第１保持用部材１１４と第２保持用部材１１６との間隔は、装着用間隔１４５から締付間隔１４６まで変化し、それに応じて締結用ボルト１３０の中心軸の向きは変化する。しかしながら、第２保持用部材１１６と嵌合する係合部材１２０は、第２保持用部材１１６に対して上述のように緩やかに嵌合していることから、締付用ナット１２４の中心軸の向きを、締結用ボルト１３０の中心軸の向きに一致させることができる。又、第１保持用部材１１４に対して締結用ボルト１３０も比較的緩やかに挿通していることも、上記締付用ナット１２４の中心軸の向きと、締結用ボルト１３０の中心軸の向きとを一致させることに寄与している。したがって、締付用ナット１２４と締結用ボルト１３０との締め付け動作において、例えば締付け動作が困難になるという不具合が生じることを防止でき、上記締め付け動作を機械にて遠隔操作で自動的に行うことが可能となる。
【図面の簡単な説明】
【００３１】
【図１】図１は、本発明の実施形態におけるドラム缶天蓋締め輪の平面図である。
【図２】図２は、図１に示すドラム缶天蓋締め輪の正面図である。
【図３】図３は、図１に示すドラム缶天蓋締め輪に備わる締結用ボルト、装着状態設定用部材、及び係合部材の斜視図である。
【図４】図４は、図１に示すドラム缶天蓋締め輪に備わる係合部材の平面図である。
【図５】図５は、図１に示すドラム缶天蓋締め輪の第１保持用部材及び第２保持用部材に締結用ボルト、装着状態設定用部材、及び係合部材を取り付けた状態を示す斜視図である。
【図６】図６は、図１に示すドラム缶天蓋締め輪の第１保持用部材及び第２保持用部材におけるボルト保持部を示す図である。
【図７】図７は、図１に示すドラム缶天蓋締め輪に備わる脱離防止用部材を示す図である。
【図８】図８は、図１に示すドラム缶天蓋締め輪の第２保持用部材に係合部材を取り付けた状態を示した図である。
【図９】図９は、図１に示すドラム缶天蓋締め輪のバンド部材を装着用間隔に配置した状態を示す図である。
【図１０】図１０は、図１に示すドラム缶天蓋締め輪のバンド部材を締付間隔に配置した状態を示す図である。
【図１１】図１１は、図１に示すドラム缶天蓋締め輪を取り付けた天蓋を収納する装置部分の斜視図である。
【図１２】図１２は、図１に示すドラム缶天蓋締め輪を取り付けた天蓋をオープンドラム缶に装着する天蓋装着装置の斜視図である。
【図１３】図１３は、図１２に示す天蓋装着装置がドラム缶天蓋締め輪を取り付けた天蓋を保持し、締結用ボルトに天蓋装着装置のボルト回転装置をセットした状態を示す斜視図である。
【図１４】図１４は、図１２に示す天蓋装着装置がドラム缶天蓋締め輪を取り付けた天蓋をオープンドラム缶に装着する状態を示す斜視図である。
【図１５】図１５は、従来の天蓋締め輪を示す図である。
【図１６】図１６は、従来の天蓋締め輪における不具合を説明するための図である。
【符号の説明】
【００３２】
１１０…バンド部材、１１１…脱離防止用部材、１１３…一端部、
１１４…第１保持用部材、１１５…他端部、１１６…第２保持用部材、
１２０…係合部材、１２１…嵌合用空間、１２２…貫通穴、１２３…装着用部材、
１２４…締付用ナット、１３０…締結用ボルト、１３１…頭部、１３２…先端部、
１４０…装着状態設定用部材、１４５…装着用間隔、１４６…締付間隔、
１８０…オープンドラム缶、１８１…缶胴体、１８２…天蓋、
１２３１…第１部材、１２３２…第２部材、１８２１…外面。
【図１】
2005162216.tif 000003
【図２】
2005162216.tif 000004
【図３】
2005162216.tif 000005
【図４】
2005162216.tif 000006
【図５】
2005162216.tif 000007
【図６】
2005162216.tif 000008
【図７】
2005162216.tif 000009
【図８】
2005162216.tif 000010
【図９】
2005162216.tif 000011
【図１０】
2005162216.tif 000012
【図１１】
2005162216.tif 000013
【図１２】
2005162216.tif 000014
【図１３】
2005162216.tif 000015
【図１４】
2005162216.tif 000016
【図１５】
2005162216.tif 000017
【図１６】
2005162216.tif 000018